(57)【要約】      （修正有）【課題】室内加湿器を原因にするカビ発生の抑制と渇水による加熱事故を防止するために、電熱と送風の微熱弱風加湿と管理装置による減湿と省力化で調整し、環境に合った湿度をナチュラルに供給する小型気化加湿器を提供する。【解決手段】本体ケースに給気口と蒸気放出口を設け、本体ケース内に低速モーターと軸流送風機と送風制御板と電熱線板と送水弁を内設し、本体ケース収納部７に不燃被覆した抗菌吸水質性気化材（加湿促進材）を施した加湿エレメント体を装着する。本体ケース収納部１１にろ過式給水タンクを、収納部９にはエアフィルターを、収納部１３には不用水タンクを装着する。本体ケースに信号（センサー）で運転を管理する装装置と安全装置及び渇水加熱事故防止自動停止装置を搭載することを特徴とする。【選択図】図１
2005147644.tif 000002
【特許請求の範囲】
【請求項１】
本体ケース（１）が給気口（２）と蒸気放出口（３）を有し、本体ケース（１）内に低速モーター（５）と軸流送風機（４）と送風制御板（６）を内設し、本体ケース（１）収納部（９）に着脱自在のエアフィルター（１７）を装着し、本体ケース（１）電熱線板（１５）と送水弁（３２）を内設し、本体ケース（１）収納部（７）に着脱自在の加湿エレメント体（１６）を装着し、本体ケース（１）収納部（１１）に着脱自在のろ過式給水タンク（１８）を装着し、本体ケース（１）収納部（１３）に不用水タンク（１９）を装着し、本体ケース（１）に運転管理装置（２０）と安全装置（３４）を設けた気化加湿器。
【請求項２】
不燃被覆（２８）を下地に施した毛管吸湿する吸水質性の気化材（加湿促進材）（２９）を設けた加湿エレメント体（１６）を装着した請求項１記載の気化加湿器。
【請求項３】
防カビ・抗菌材（３０）を施した加湿エレメント体（１６）を装着した請求項２記載の気化加湿器。
【請求項４】
不純物をろ過する着脱自在のろ過フィルター（３１）を付けた給水タンク（１８）を装着した請求項１記載の気化加湿器。
【請求項５】
信号（センサー）（２７）で感知する運転ランプ（２３）と水量計（２１）と変換スイッチ（２６）と運転スイッチ（２５）を搭載した運転管理装置（２０）を設けた請求項１記載の気化加湿器。
【請求項６】
信号（センサー）（２７）により作動する渇水注意ランプ（２２）と渇水加熱事故防止自動停止装置（３３）を搭載した運転管理装置（２０）を設けた請求項５記載の気化加湿器。
【発明の詳細な説明】
【技術分野】
【０００１】  この発明は、従来の室内加湿器を原因にするカビ発生と増殖の抑制、そして、渇水による加熱による事故を防止するために、電熱と送風による微熱弱風の加湿と管理装置による減湿と省力化で調整して、室内に安定した水分を供給する小型気化加湿器に関するものである。
【背景技術】
【０００２】  従来、この種の加湿器には、電熱を熱源にした加熱皿による加湿方法があり、本体ケースに水槽を設置し、ポンプと電動機・フロート弁（自動給水装置）と加熱コイル等を内設した加湿装置により加湿される。なお、水分の放出量を段階に切り換えて減湿する気化加湿器が知られている。
【発明の開示】
【発明が解決しようとする課題】
【０００３】  これには、次のような欠点があった。
（イ）従来の加湿器は、室内の湿度を上昇させて空気の乾燥を防ぎ、ウィルスの不活性化に効果を上げている。しかし、室内の飽和状態を上回る過剰な水蒸気を放出していることがよくあり、結露を起こしてカビの発生や増殖を招く原因になって、人体に悪影響を与えていた。
（ロ）従来の加湿器は、水分消費が高く、大きな水槽を必要にするから、加熱皿や加湿装置大きなものにして小型化と省力化ができず、設置を制限したり、それらの清掃と維持を面倒なものにしていた。
（ハ）従来の加湿器は、給水を忘れ、水槽の水が無がなくなって渇水状態になり、渇水による加熱事故を防げないことがあった。
本発明は、以上の問題点を解決するためになされたものである。
【課題を解決するための手段】
【０００４】  本体ケース（１）に給気口（２）と蒸気放出口（３）とを設け、本体ケース（１）に低速モーター（５）と軸流送風機（４）と送風制御板（６）と電熱線板（１５）と送水弁（３２）を内設し、本体ケース（１）収納部（７）に下地に不燃被覆（２８）に抗菌材（３０）と吸水質性気化材（加湿促進材）（２９）を施した着脱自在の加湿エレメント体（１６）を装着する。本体ケース（１）収納部（１１）に着脱自在のフィルター付きろ過式給水タンク（１８）を装着し、収納部（９）にエアフィルター（１７）と、収納部（１３）に不用水タンク（１９）を装着する。本体ケース（１）に信号（センサー）（２７）と運転管理装置（２０）と安全装置（３４）と渇水加熱事故防止自動停止装置（３３）を設ける。
本発明は、以上の構成よりなる気化式加湿機である。
【発明の効果】
【０００５】  センサーによる運転管理装置と渇水加熱事故防止自動停止装置の作動により、渇水を注意させて残りの水量を明確に示すので、従来の加湿器に異なって発熱・渇水による事故を起こさず、安全である。【０００６】  微熱弱風による加湿は省力的で切り換え運転による減湿調整も簡単であり、長い時間、ナチュラルでクリーンな室内環境を維持し、カビ発生を抑制するだけでなはなく、乾燥を防いでウィルスの活性を弱体化させる能力も備えている。【０００７】  小型化によって薄くて軽くなり、壁掛けを可能にし、一般家庭の室内に自由に設置できるようになる。さらに、各部着脱自在のパーツ化によって、部品の交換や清掃をより一層容易にして衛生的になり、長期間の加湿性能を維持できる。
【発明を実施するための最良の形態】
【０００８】  以下、本発明の実施形態にていて説明する。
（イ）本体ケース（１）に、給気口（２）と蒸気放出口（３）を設ける。
（ロ）本体ケース（１）に、低速モーター（５）と軸流送風機（４）と送風制御板（６）を内設する。
（ハ）本体ケース（１）に、電熱線板（１５）と送水弁（３２）を内設する。
（ニ）本体ケース（１）内に、加湿エレメント収納部（７）を設け、着脱自在の加湿エレメント体（１６）を装着する。
（ホ）本体ケース（１）内に収納部（９）を設け、着脱自在のエアフィルター（１７）を装着する。
（ヘ）本体ケース（１）内に収納部（１１）を設け、ろ過フィルター（３１）を付けた着脱自在のろ過式給水タンク（１８））を装着する。
（ト）本体ケース（１）内に収納部（１３）を設け、着脱自在の不用水タンク（１９）を装着する。
（チ）本体ケース（１）に、信号（センサー）（２７）により作動する水量計（２１）と渇水注意ランプ（２２）と不用水ランプ（２４）と運転スイッチ（２５）と切り換え運転変換スイッチ（２６）を搭載した運転管理装置（２０）を設ける。
（リ）運転管理装置（２０）に、安全装置（３４）と渇水加熱事故防止自動停止装置（３３）を搭載して装着する。
本発明は以上のような構造からなるので、本発明を使用するときは、加湿エレメント体、ろ過フィルター、給水タンク、不用水タンクを装着して運転スイッチを入れると、運転ランプ、水量計、加湿変換スイッチ等のランプが表示されて管理・稼動状態を示し、加湿を行う。加湿エレメント体の毛管現象により送水弁から給水し、電熱の微熱と送風の弱風による微量加湿を行って、変換スイッチにより減湿を調整する。給水タンクの水が不足すると給水ランプが点灯し、次に渇水注意ランプが点灯する。さらに、渇水による加熱事故を防止するために、自動停止装置が作動する。使用中、環境状態によって消費されない余分な水分は、本体下部に装着した不用水タンクに溜まってランプが点灯するので本体ケースから取り出して不用水は捨てる。不用水タンク内に許容水位を超えて溜まると安全装置が働いて本器の運転を停止する。加湿エレメント、ろ過フィルター、給水タンク、不用水タンクのそれぞれは着脱自在であるから、例えば、本体が壁に掛けられた状態においても、交換や洗浄ができるので溜まった汚れや不純物を除去できる。
【図面の簡単な説明】
【０００９】
【図１】    本発明の断面Ａを示す図である。
【図２】    本発明の断面Ｂを示す図である。
【図３】    本発明の斜視図でる。
【図４】    本発明の加湿エレメントの一部を切り欠いた斜視図である。
【図５】    本発明のろ過式給水タンクの斜視図である。
【符号の説明】
【００１０】      １  本体ケース
２  給気口
３  蒸気放出口
４  軸流送風機
５  低速モーター
６  送風制御板
７  加湿エレメント体収納部
８  加湿エレメント体挿入口
９  エアフィルター収納部
１０  エアフィルター挿入口
１１  ろ過式給水タンク収納部
１２  ろ過式給水タンク挿入口
１３  不用水タンク収納部
１４  不用水タンク挿入口
１５  電熱線板
１６  加湿エレメント体
１７  エアフィルター
１８  ろ過式給水タンク
１９  不用水タンク
２０  運転管理装置
２１  水量計
２２  渇水注意ランプ
２３  運転ランプ
２４  不用水ランプ
２５  運転スイッチ
２６  変換スイッチ
２７  信号（センサー）
２８  不燃被覆
２９  吸水質性気化材（加湿促進材）
３０  防カビ・抗菌材
３１  ろ過フィルター
３２  送水弁
３３  渇水加熱事故防止自動停止装置
３４  安全装置
３５  電気コード
３６  電熱送線
３７  電気配線
【図１】
2005147644.tif 000003
【図２】
2005147644.tif 000004
【図３】
2005147644.tif 000005
【図４】
2005147644.tif 000006
【図５】
2005147644.tif 000007
【手続補正書】
【提出日】平成16年1月13日(2004.1.13)
【手続補正１】
【補正対象書類名】特許請求の範囲
【補正対象項目名】請求項１
【補正方法】変更
【補正の内容】
【請求項１】
本体ケース（１）が給気口（２）と蒸気放出口（３）を有し、本体ケース（１）に低速モーター（５）と軸流送風機（４）と送風制御板（６）を内設し、本体ケース（１）収納部（９）に着脱自在のエアフィルター（１７）を装着し、本体ケース（１）に電熱線板（１５）と送水弁（３２）を内設し、本体ケース（１）収納部（７）に着脱自在の加湿エレメント体（１６）を装着し、本体ケース（１）収納部（１１）に着脱自在のろ過式給水タンンク（１８）を装着し、本体ケース（１）収納部（１３）に不用水タンク（１９）を装着し、本体ケース（１）に運転管理装置（２０）と安全装置（３４）を設けた気化加湿器。
【手続補正２】
【補正対象書類名】特許請求の範囲
【補正対象項目名】請求項２
【補正方法】変更
【補正の内容】
【請求項２】
不燃被覆（２８）を施した毛管現象で吸湿する吸水質性気化材（加湿促進材）（２９）を設けた加湿エレメント体（１６）を装着した請求項１記載の気化加湿器。
【手続補正３】
【補正対象書類名】特許請求の範囲
【補正対象項目名】請求項４
【補正方法】変更
【補正の内容】
【請求項４】
不純物をろ過する着脱自在のろ過フィルター（３１）を付けたろ過式給水タンク（１８）を装着した請求項１記載の気化加湿器。
【手続補正４】
【補正対象書類名】明細書
【補正対象項目名】全文
【補正方法】変更
【補正の内容】
【発明の詳細な説明】
【技術分野】
【０００１】  この発明は、従来の室内加湿器を原因にするカビの発生と増殖の抑制、そして、渇水による加熱事故を防止するために、電熱と送風による微熱弱風の加湿と管理装置によって減湿化と省力化し、室内に安定した水分を補給する小型気化加湿器に関するものである。
【背景技術】
【０００２】  従来、この種の加湿器には、電熱を熱源にした加熱皿による加湿方法があり、本体ケースに水槽を設置し、ポンプと電動機・フロート弁（自動給水装置）と加熱コイル等を内設した加湿装置により加湿される。さらに、水分の放出量を段階的に切り換えて減湿する気化加湿器や音・光サインによって給水を認識させる気化加湿器が知られている。
【発明が解決しようとする課題】
【０００３】  これには、次のような欠点があった。
（イ）従来の加湿器は、室内の湿度を上昇させて空気の乾燥を防ぎ、ウィルスの不活性化に効果を上げている。しかし、従来の気化加湿器は、室内に１時間あたり平均５００ミリリットルの水蒸気を放出する能力を保持しているのが主流であり、室内の飽和状態に関係なく、過剰な水分を供給させていることがよくある。これは、秋冬期の室内で結露を起こし、カビの発生や増殖を招く原因になって、人体や室内環境に悪影響を与えていた。
（ロ）従来の加湿器は、一定の加湿供給の維持から水分の消費も多く、一般的に４リットル規模のタンク（水槽）を必要とするから、加湿装置本体を大きくさせて小型化と省力化ができず、設置を制限したり、それらの清掃と維持を面倒なものにしていた。
（ハ）従来の加湿器は、給水を忘れると水槽の水がなくなり、その渇水状態での加熱による事故を防げないことがあった。
本発明は、以上の問題点を解決するためになされたものである。
【課題を解決するための手段】
【０００４】  本体ケース（１）に給気口（２）と蒸気放出口（３）を設け、本体ケース（１）に低速モーター（５）と軸流送風機（４）と送風制御板（６）と電熱線板（１５）と送水弁（３２）を内設し、本体ケース（１）収納部（７）に不燃被覆（２８）と抗菌材（３０）を施した吸水質性気化材（加湿促進材）（２９）からなる着脱自在の加湿エレメント体（１６）を装着する。本体ケース（１）収納部（１１）に着脱自在のフィルター付きろ過式給水タンク（１８）を装着し、収納部（９）にエアフィルター（１７）を、収納部（１３）に不用水タンク（１９）を装着する。本体ケース（１）に信号（センサー）（２７）と運転管理装置（２０）と安全装置（３４）と渇水加熱事故防止自動停止装置（３３）を設ける。
本発明は、以上の構成よりなる気化加湿器である。
【発明の効果】
【０００５】  センサーによる運転管理装置と渇水加熱事故防止自動停止装置の作動によって渇水を注意させたり、残りの水量を明確に示すので、従来の加湿器に異なって発熱・渇水による事故を起こさず、安全である。
【発明の効果】
【０００６】  微熱弱風による加湿は省力的で切り換え運転による減湿調整も簡単であり、長い時間、クリーンな室内環境を維持し、ナチュラル方法で、カビの発生を抑制するだけではなく、乾燥を防いでウィルスを不活性化させる能力も備えている。
【発明の効果】
【０００７】  小型化によって薄くて軽くなり、壁に掛けることを可能にし、一般家庭の室内に自由に設置できるようになる。さらに、各部材の着脱自在化によって、部材の交換や清掃をより一層容易にして衛生的になり、そして、長時間の加湿性能を維持する。
【発明を実施するための最良の形態】
【０００８】  以下、本発明の実施形態について説明する。
（イ）本体ケース（１）に、給気口（２）と蒸気放出口（３）を設ける。
（ロ）本体ケース（１）に、低速モーター（５）と軸流送風機（４）と送風制御板（６）を内設する。
（ハ）本体ケース（１）に、電熱線板（１５）と送水弁（３２）を内設する。
（ニ）本体ケース（１）内に、加湿エレメント体収納部（７）を設け、着脱自在の加湿エレメント体（１６）を装着する。
（ホ）本体ケース（１）内に、エアフィルター収納部（９）を設け、着脱自在のエアフィルター（１７）を装着する。
（ヘ）本体ケース（１）内に、ろ過式給水タンク収納部（１１）を設け、ろ過フィルター（３１）を付けた着脱自在のろ過式給水タンク（１８）を装着する。
（ト）本体ケース（１）内に、不用水タンク収納部（１３）を設け、着脱自在の不用水タンク（１９）を装着する。
（チ）本体ケース（１）に、信号（センサー）（２７）により作動する水量計（２１）と渇水注意ランプ（２２）と不用水ランプ（２４）と運転ランプ（２３）と運転スィッチ（２５）と切り換え運転変換スィッチ（２６）を搭載した運転管理装置（２０）を設ける。
（リ）運転管理装置（２０）に、安全装置（３４）と渇水加熱事故防止自動停止装置（３３）を搭載して装着する。
本発明は以上のような構造からなるので、本発明を使用するときは、加湿エレメント体、エアフィルター、ろ過フィルター、給水タンク、不用水タンクを装着して運転スィッチを入れると、運転ランプ、水量計、変換スィッチ等のランプが表示されて管理・稼動状態を示し、加湿を行う。電熱の微熱と送風の弱風による減量加湿を行い、変換スィッチにより減湿調整ができる。加湿エレメント体は本体ケースに装着時、内設する電熱線板を包み込むような状態（図６）になり、同時に送水弁に装着して加湿エレメントの毛管現象により給水されるので、給水タンクの水が一定量減少すると、給水ランプが点灯する。さらに、渇水による加熱事故を防止するために、渇水注意ランプが点灯をはじめ、次に、自動停止装置が作動する。使用中、環境状態によって消費されない余分な水分は、本体下部に装着した不用水タンクに溜まって不用水ランプが点灯するので、本体ケースから取り出して不用水を捨てる。不用水タンク内に許容水位を超えて溜まると安全装置が働いて本器の運転を停止する。加湿エレメント体、ろ過フィルター、エアフィルター、給水タンク、不用水タンクのそれぞれは、着脱自在であるから、例えば、本体が壁に掛けられた状態においても、交換や洗浄ができるので溜まった汚れや不純物を除去できる。
【図面の簡単な説明】
【０００９】
【図１】図３のＡ方向の断面図である。
【図２】図３のＢ方向の断面図である。
【図３】本発明の斜視図である。
【図４】本発明の加湿エレメント体の一部を切り欠いた斜視図である。
【図５】本発明のろ過式給水タンクの斜視図である。
【図６】本発明の加湿エレメント体の使用状態を示す斜視図である。
【符号の説明】
【００１０】  １本体ケース、２給気口、３蒸気放出口、４軸流送風機、５低速モーター、６送風制御板、７加湿エレメント体収納部、８加湿エレメント体挿入口、９エアフィルター収納部、１０エアフィルター挿入口、１１ろ過式給水タンク収納部、１２ろ過式給水タンク挿入部、１３不用水タンク収納部、１４不用水タンク挿入部、１５電熱線板、１６加湿エレメント体、１７エアフィルター、１８ろ過式給水タンク、１９不用水タンク、２０運転管理装置、２１水量計、２２渇水注意ランプ、２３運転ランプ、２４不用水ランプ、２５運転スイッチ、２６変換スイッチ、２７信号（センサー）、２８不燃被覆、２９吸水質性気化材（加湿促進材）、３０防カビ・抗菌材、３１ろ過フィルター、３２送水弁、３３渇水加熱事故防止自動停止装置、３４安全装置、３５電気コード、３６電熱送線、３７電気配線、３８受け落とし皿。
【手続補正５】
【補正対象書類名】図面
【補正対象項目名】図１
【補正方法】変更
【補正の内容】
【図１】
2005147644.tif 000008
【手続補正６】
【補正対象書類名】図面
【補正対象項目名】図２
【補正方法】変更
【補正の内容】
【図２】
2005147644.tif 000009
【手続補正７】
【補正対象書類名】図面
【補正対象項目名】図６
【補正方法】追加
【補正の内容】
【図６】
2005147644.tif 000010
【手続補正書】
【提出日】平成16年2月23日(2004.2.23)
【手続補正１】
【補正対象書類名】明細書
【補正対象項目名】０００３
【補正方法】変更
【補正の内容】
【０００３】  これには、次のような欠点があった。（イ）従来の加湿器は、室内の湿度を上昇させて空気の乾燥を防ぎ、ウィルスの不活性化に効果を上げている。しかし、従来の気化加湿器は、室内に１時間あたり平均５００ｍｌの水蒸気を放出する能力を保持しているのが主流であり、室内の飽和状態に関係なく、過剰な水分を供給させていることがよくある。これは、秋冬期の室内で結露を起こし、カビの発生や増殖を招く原因になって、人体や室内環境に悪影響を与えていた。（ロ）従来の加湿器は、一定の加湿供給の維持から水分の消費も多く、一般的に４ｌ規模のタンク（水槽）を必要とするから、加湿装置本体を大きくさせて小型化と省力化ができず、設置を制限したり、それらの清掃と維持を面倒なものにしていた。（ハ）従来の加湿器は、給水を忘れると水槽の水がなくなり、その渇水状態での加熱による事故を防げないことがあった。  本発明は、以上の問題点を解決するためになされたものである。
【手続補正２】
【補正対象書類名】明細書
【補正対象項目名】０００８
【補正方法】変更
【補正の内容】
【０００８】  以下、本発明の実施形態について説明する。（イ）本体ケース（１）に、給気口（２）と蒸気放出口（３）を設ける。（ロ）本体ケース（１）に、低速モーター（５）と軸流送風機（４）と送風制御板（６）を内設する。（ハ）本体ケース（１）に、電熱線板（１５）と送水弁（３２）を内設する。（ニ）本体ケース（１）内に、加湿エレメント体収納部（７）を設け、着脱自在の加湿エレメント体（１６）を装着する。（ホ）本体ケース（１）内に、エアフィルター収納部（９）を設け、着脱自在のエアフィルター（１７）を装着する。（ヘ）本体ケース（１）内に、ろ過式給水タンク収納部（１１）を設け、ろ過フィルター（３１）を付けた着脱自在のろ過式給水タンク（１８）を装着する。（ト）本体ケース（１）内に、不用水タンク収納部（１３）を設け、着脱自在の不用水タンク（１９）を装着する。（チ）本体ケース（１）に、信号（センサー）（２７）により作動する水量計（２１）と渇水注意ランプ（２２）と不用水ランプ（２４）と運転ランプ（２３）と運転スイッチ（２５）と切り換え運転変換スイッチ（２６）を搭載した運転管理装置（２０）を設ける。（リ）運転管理装置（２０）に、安全装置（３４）と渇水加熱事故防止自動停止装置（３３）を搭載して装着する。  本発明は以上のような構造からなるので、本発明を使用するときは、加湿エレメント体、エアフィルター、ろ過フィルター、給水タンク、不用水タンクを装着して運転スイッチを入れると、運転ランプ、水量計、変換スイッチ等のランプが表示されて管理・稼動状態を示し、加湿を行う。電熱の微熱と送風の弱風による減量加湿を行い、変換スイッチにより減湿調整ができる。加湿エレメント体は本体ケースに装着時、内設する電熱線板を包み込むような状態になり、同時に送水弁に装着して加湿エレメントの毛管現象により給水されるので、給水タンクの水が一定量減少すると、給水ランプが点灯する。さらに、渇水による加熱事故を防止するために、渇水注意ランプが点灯をはじめ、次に、自動停止装置が作動する。使用中、環境状態によって消費されない余分な水分は、本体下部に装着した不用水タンクに溜まって不用水ランプが点灯するので、本体ケースから取り出して不用水を捨てる。不用水タンク内に許容水位を超えて溜まると安全装置が働いて本器の運転を停止する。加湿エレメント体、ろ過フィルター、エアフィルター、給水タンク、不用水タンクのそれぞれは、着脱自在であるから、例えば、本体が壁に掛けられた状態においても、交換や洗浄ができるので溜まった汚れや不純物を除去できる。
【手続補正３】
【補正対象書類名】明細書
【補正対象項目名】０００９
【補正方法】変更
【補正の内容】
【０００９】
【図１】図３のＡ方向の断面図である。
【図２】図３のＢ方向の断面図である。
【図３】本発明の斜視図である。
【図４】本発明の加湿エレメント体の一部を切り欠いた斜視図である。
【図５】本発明のろ過式給水タンクの斜視図である。
【手続補正４】
【補正対象書類名】図面
【補正対象項目名】図６
【補正方法】削除
【補正の内容】
【手続補正書】
【提出日】平成16年7月12日(2004.7.12)
【手続補正２】
【補正対象書類名】手続補正書
【補正対象項目名】手続補正４
【補正方法】変更
【補正の内容】
【手続補正４】
【補正対象書類名】明細書
【補正対象項目名】全文
【補正方法】変更
【補正の内容】
【発明の詳細な説明】
【技術分野】
【０００１】
この発明は、従来の室内加湿器を原因にするカビの発生と増殖の抑制、そして、渇水によ
る加熱事故を防止するために、電熱と送風による微熱弱風の加湿と管理装置によって減湿
化と省力化し、室内に安定した水分を補給する小型気化加湿器に関するものである。
【背景技術】
【０００２】
従来、この種の加湿器には、電熱を熱源にした加湿皿による加湿方法があり、本体ケース
に水槽を設置し、ポンプと電動機・フロート弁（自動給水装置）と加熱コイル等を内設し
た加熱装置により加湿される。さらに、水分の放出量を段階的に切り換えて減湿する気化
加湿器や音・光サインによって給水を認識させる気化加湿器が知られている。
【発明の開示】
【発明が解決しようとする課題】
【０００３】
これには、次のような欠点があった。
（イ）従来の加湿器は、室内の湿度を上昇させて空気の乾燥を防ぎ、ウィルスの不活性化
に効果を上げている。しかし、従来の気化加湿器は、室内に１時間あたり平均５００ミリ
リットルの水蒸気を放出する能力を保持しているのが主流であり、室内の飽和状態に関係
なく、過剰な水分を供給させていることがよくある。これは、秋冬期の室内で結露を起こ
し、カビの発生や増殖を招く原因になって、人体や室内環境に悪影響を与えていた。
（ロ）従来の加湿器は、一定の加湿供給の維持から水分の消費も多く、一般的に４リット
ル規模のタンク（水槽）を必要とするから、加湿装置本体を大きくさせて小型化と省力化
ができず、設置を制限したり、それらの清掃と維持を面倒なものにしていた。
（ハ）従来の加湿器は、給水を忘れると水槽の水がなくなり、その渇水状態での加熱によ
る事故を防げないことがあった。
本発明は、以上の問題点を解決するためになされたものである。
【課題を解決するための手段】
【０００４】
本体ケース（１）に給気口（２）と蒸気放出口（３）を設け、本体ケース（１）に低速モ
ーター（５）と軸流送風機（４）と送風制御板（６）と電熱線板（１５）と送水弁（３２
）を内設し、本体ケース（１）収納部（７）に不燃被覆（２８）と抗菌材（３０）を施し
た吸水質性気化材（加湿促進材）（２９）からなる着脱自在の加湿エレメント体（１６）
を装着する。本体ケース（１）収納部（１１）に着脱自在のフィルター付きろ過式給水タ
ンク（１８）を装着し、収納部（９）にエアフィルター（１７）を、収納部（１３）に不
用水タンク（１９）を装着する。本体ケース（１）に信号（センサー）（２７）と運転管
理装置（２０）と安全装置（３４）と渇水加熱事故防止自動停止装置（３３）を設ける。
本発明は、以上の構成よりなる気化加湿器である。
【発明の効果】
【０００５】
センサーによる運転管理装置と渇水加熱事故防止自動停止装置の作動によって渇水を注意
させたり、残りの残量を明確に示すので、従来の加湿器に異なって発熱・渇水による事故
を起こさず、安全である。
【０００６】
微熱弱風による加湿は省力的で切り換え運転による減湿調整も簡単であり、長い時間、ク
リーンな室内環境を維持し、ナチュラル方法で、カビの発生を抑制するだけではなく、乾
燥を防いでウィルスを不活性化させる能力も備えている。
【０００７】
小型化によって薄くて軽くなり、壁に掛けることを可能にし、一般家庭の室内に自由に設
置できるようになる。さらに、各部材の着脱自在によって、部材の交換や清掃をより一層
容易にして衛生的になり、そして、長時間の加湿性能を維持する。
【発明を実施するための最良の形態】
【０００８】
以下、本発明の実施形態について説明する。
（イ）本体ケース（１）に、給気口（２）と蒸気放出口（３）を設ける。
（ロ）本体ケース（１）に、低速モーター（５）と軸流送風機（４）と送風制御板（６）
を内設する。
（ハ）本体ケース（１）に、電熱線板（１５）と送水弁（３２）を内設する。
（二）本体ケース（１）内に、加湿エレメント体収納部（７）を設け、着脱自在の加湿エ
レメント体（１６）を装着する。
（ホ）本体ケース（１）内に、エアフィルター収納部（９）を設け、着脱自在のエアフィ
ルター（１７）を装着する。
（へ）本体ケース（１）内に、ろ過式給水タンク収納部（１１）を設け、ろ過フィルター
（３１）を付けた着脱自在のろ過式給水タンク（１８）を装着する。
（ト）本体ケース（１）内に、不用水タンク収納部（１３）を設け、着脱自在の不用水タ
ンク（１９）を装着する。
（チ）本体ケース（１）に、信号（センサー）（２７）により作動する水量計（２１）と
渇水注意ランプ（２２）と不用水ランプ（２４）と運転ランプ（２３）と運転スィッチ（
２５）と切り換え運転変換スィッチ（２６）を搭載した運転管理装置（２０）を設ける。
（リ）運転管理装置（２０）に、安全装置（３４）と渇水加熱事故防止自動停止装置（３
３）を搭載して装着する。
本発明は以上のような構造からなるので、本発明を使用するときは、加湿エレメント体、
エアフィルター、ろ過フィルター、給水タンク、不用水タンクを装着して運転スィッチを
入れると、運転ランプ、水量計、変換スィッチ等のランプが表示されて管理・稼動状態を
示し、加湿を行う。電熱の微熱と送風の弱風による減量加湿を行い、変換スィッチにより
減湿調整ができる。加湿エレメント体は本体ケースに装着時、内設する電熱線板を包み込
むような状態（図６）になり、同時に送水弁に装着して加湿エレメントの毛管現象により
給水されるので、給水タンクの水が一定量減少すると、給水ランプが点灯する。さらに、
渇水による加熱事故を防止するために、渇水注意ランプが点灯をはじめ、次に、自動停止
装置が作動する。使用中、環境状態によって消費されない余分な水分は、本体下部に装着
した不用水タンクに溜まって不用水ランプが点灯するので、本体ケースから取り出して不
用水を捨てる。不用水タンク内に許容水位を超えて溜まると安全装置が働いて本器の運転
を停止する。加湿エレメント体、ろ過フィルター、エアフィルター、給水タンク、不用水
タンクのそれぞれは、着脱自在であるから、例えば、本体が壁に掛けられた状態において
も、交換や洗浄ができるので溜まった汚れや不純物を除去できる。
【図面の簡単な説明】
【０００９】
【図１】図３のＡ方向の断面図である。
【図２】図３のＢ方向の断面図である。
【図３】本発明の斜視図である。
【図４】本発明の加湿エレメント体の一部を切り欠いた斜視図である。
【図５】本発明のろ過式給水タンクの斜視図である。
【図６】本発明の加湿エレメント体の使用状態を示す斜視図である。
【符号の説明】
【００１０】
１本体ケース、２給気口、３蒸気放出口、４軸流送風機、５低速モーター、６送風制御板
、７加湿エレメント体収納部、８加湿エレメント体挿入口、９エアフィルター収納部、１
０エアフィルター挿入口、１１ろ過式給水タンク収納部、１２ろ過式給水タンク挿入部、
１３不用水タンク収納部、１４不用水タンク挿入部、１５電熱線板、１６加湿エレメント
体、１７エアフィルター、１８ろ過式給水タンク、１９不用水タンク、２０運転管理装置
、２１水量計、２２渇水注意ランプ、２３運転ランプ、２４不用水ランプ、２５運転スィ
ッチ、２６変換スィッチ、２７信号（センサー）、２８不燃被覆、２９吸水質性気化材（
加湿促進材）、３０防カビ・抗菌材、３１ろ過フィルター、３２送水弁、３３渇水加熱事
故防止自動停止装置、３４安全装置、３５電気コード、３６電熱送線、３７電気配線、３
８受け落とし皿。
【手続補正書】
【提出日】平成16年8月25日(2004.8.25)
【手続補正１】
【補正対象書類名】明細書
【補正対象項目名】００１０
【補正方法】変更
【補正の内容】
【００１０】
１本体ケース、２給気口、３蒸気放出口、４軸流送風機、５低速モーター、６送風制御板
、７加湿エレメント体収納部、８加湿エレメント体挿入口、９エアフィルター収納部、１
０エアフィルター挿入口、１１ろ過式給水タンク収納部、１２ろ過式給水タンク挿入口、
１３不用水タンク収納部、１４不用水タンク挿入口、１５電熱線板、１６加湿エレメント
体、１７エアフィルター、１８ろ過式給水タンク、１９不用水タンク、２０運転管理装置
、２１水量計、２２渇水注意ランプ、２３運転ランプ、２４不用水ランプ、２５運転スィ
ッチ、２６変換スィッチ、２７信号（センサー）、２８不燃被覆、２９吸水質性気化材（
加湿促進材）、３０防カビ・抗菌材、３１ろ過フィルター、３２送水弁、３３渇水加熱事
故防止自動停止装置、３４安全装置、３５電気コード、３６電熱送線、３７電気配線、３
８受け落とし皿。